(57)【要約】【課題】太陽電池パネルを組み込むとともに、電気絶縁性を良好にして人体との間で電気回路を形成し、微弱電流により血流の促進を図ることができる美容器を提供する。【解決手段】美容器１１のハンドル１２にはマッサージ用の回転ローラ２０が回転可能に支持されるとともに、該回転ローラ２０に微弱電流を供給する太陽電池パネル１６が設けられている。太陽電池パネル１６の＋側の端子１６ａは、リード線２１ａ、支持軸１８及び支持体１９を介して回転ローラ２０に電気的に接続されている。一方、ハンドル１２と回転ローラ２０との間は、下側ハンドル片１３の端壁１３ａ及び軸受け部１７がＡＢＳ樹脂で形成されることにより電気的に絶縁されている。そして、美容器１１の使用時には、太陽電池パネル１６の＋側の端子１６ａから回転ローラ２０、人体２３及びハンドル１２の導電膜２４を介して太陽電池パネル１６の−側の端子１６ｂへ到る電気回路が形成される。【選択図】図１
2012085808.tif 000002
【特許請求の範囲】
【請求項１】
ハンドルにはマッサージ用の回転ローラ及びボールの少なくとも一方が回転可能に支持されるとともに、前記マッサージ用の回転ローラ及びボールの少なくとも一方に微弱電流を供給する太陽電池パネルを備えた美容器において、
前記太陽電池パネルと、回転ローラ及びボールの少なくとも一方との間を電気的に接続するとともに、ハンドルと回転ローラ及びボールの少なくとも一方との間を電気的に絶縁し、使用時に太陽電池パネルの一方の電極から、回転ローラ及びボールの少なくとも一方、人体及びハンドルを介して太陽電池パネルの他方の電極へ到る電気回路を形成するように構成したことを特徴とする美容器。
【請求項２】
前記ハンドルの一部及び回転ローラの軸受け部を電気絶縁材料で構成したことを特徴とする請求項１に記載の美容器。
【請求項３】
前記ハンドルの外面には、内部に太陽電池パネルを収容する凹状支持部を設け、該凹状支持部の内側面から外面にかけて太陽電池パネルに導通する導電部を形成するとともに、前記凹状支持部、ハンドル及び回転ローラの軸受け部を電気絶縁材料で構成したことを特徴とする請求項１又は請求項２に記載の美容器。
【発明の詳細な説明】
【技術分野】
【０００１】
この発明は、ハンドルに設けられたマッサージ用の回転ローラ又はボールにて、顔や腕等の肌をマッサージすることにより、血流を促して美しい肌を実現する美容器に関するものである。
【背景技術】
【０００２】
従来、この種の美容器としては、例えば特許文献１に記載されている構成のものが提案されている。すなわち、この特許文献１に記載されている従来構成の美容器においては、使用者が把持するグリップと、同グリップに結合された作用部とを有し、該作用部に設けられ略平行に延びる２つの接触面が形成され、その接触面及び接触面間に挟まれた施術領域が設けられている。さらに、前記グリップには２つの接触面に電圧を印加するための電圧印加回路が設けられるとともに、作用部には施術領域に対して光を照射するためのＬＥＤが配置されている。
【０００３】
そして、美容器の使用時には、広い面積を有する施術領域において皮膚を介して電流が流れるとともに、ＬＥＤからの光が皮膚に照射され、電流と光による相乗作用で皮膚細胞の活性化が促進され、肌のハリや艶の向上を期待することができる。
【先行技術文献】
【特許文献】
【０００４】
【特許文献１】特開２００７−２３６６９９号公報
【発明の概要】
【発明が解決しようとする課題】
【０００５】
前記特許文献１に記載の従来構成では、接触面を形成する金属ローラに電圧印加回路としての交流電源回路又は直流電源回路から交流電流又は直流電流が流れて皮膚に微小な交流電流が流れるとともに、ＬＥＤに電圧印加回路としての直流電源回路から電力が供給されて皮膚に光が照射される。この場合、交流電源又は直流電源と金属ローラとの電気的接続は、リード線によりスイッチを介して行われているが、美容器内における電気的な絶縁構造が十分でないと美容器の機能を正常に発揮することはできない。
【０００６】
ところで、交流電源や直流電源を美容器のグリップに備えると美容器が大型化したり、充放電可能な構成にする必要があって構成が複雑になったりすることから、電源として太陽電池パネルを使用することが考えられるが、その場合には太陽電池パネルはグリップ等の表面において光が当たりやすいように取付けられる。そのため、太陽電池パネルを支持する部材が金属等の導電性部材で構成されていたり、太陽電池パネルからの通電経路に導電性部材が接触していたりすると、電気絶縁性が損なわれるおそれがある。電気絶縁性が不十分なときには、太陽電池パネルの一方の電極から金属ローラ、人体を介して太陽電池パネルの他方の電極に接続される電気回路が形成されなくなり、美容器の機能を有効に発揮することができなくなる。
【０００７】
この発明は、このような従来の技術に存在する問題点に着目してなされたものであり、その目的とするところは、太陽電池パネルを組み込むとともに、電気絶縁性を良好にして人体との間で電気回路を形成し、微弱電流により血流の促進を図ることができる美容器を提供することにある。
【課題を解決するための手段】
【０００８】
上記の目的を達成するために、請求項１に係る美容器の発明は、ハンドルにはマッサージ用の回転ローラ及びボールの少なくとも一方が回転可能に支持されるとともに、前記マッサージ用の回転ローラ及びボールの少なくとも一方に微弱電流を供給する太陽電池パネルを備えた美容器において、前記太陽電池パネルと、回転ローラ及びボールの少なくとも一方との間を電気的に接続するとともに、ハンドルと回転ローラ及びボールの少なくとも一方との間を電気的に絶縁し、使用時に太陽電池パネルの一方の電極から、回転ローラ及びボールの少なくとも一方、人体及びハンドルを介して太陽電池パネルの他方の電極へ到る電気回路を形成するように構成したことを特徴とする。
【０００９】
請求項２に係る美容器の発明は、請求項１に係る発明において、前記ハンドルの一部及び回転ローラの軸受け部を電気絶縁材料で構成したことを特徴とする。
請求項３に係る美容器の発明は、請求項１に係る発明において、前記ハンドルの外面には、内部に太陽電池パネルを収容する凹状支持部を設け、該凹状支持部の内側面から外面にかけて太陽電池パネルに導通する導電部を形成するとともに、前記凹状支持部、ハンドル及び回転ローラの軸受け部を電気絶縁材料で構成したことを特徴とする。
【発明の効果】
【００１０】
請求項１に係る美容器においては、太陽電池パネルと、回転ローラ及びボールの少なくとも一方との間が電気的に接続されるとともに、ハンドルと回転ローラ及びボールの少なくとも一方との間が電気的に絶縁される。そして、使用時には太陽電池パネルの一方の電極から、回転ローラ及びボールの少なくとも一方、さらに人体を介して太陽電池パネルの他方の電極へ到る電気回路が形成される。このように、美容器を使用する際には電気回路が安定した状態で形成され、その電気回路を通じて人体に微弱電流が流れ、血流が促される。
【００１１】
従って、本発明の美容器によれば、太陽電池パネルを組み込むとともに、電気絶縁性を良好にして人体との間で電気回路を形成し、微弱電流により血流の促進を図ることができる。
【図面の簡単な説明】
【００１２】
【図１】本発明の第１実施形態における美容器を模式的に示す断面図。
【図２】第２実施形態における美容器を模式的に示す断面図。
【発明を実施するための形態】
【００１３】
（第１実施形態）
以下に、この発明を具体化した美容器の第１実施形態を図１に従って説明する。
図１に示すように、第１実施形態の美容器１１を構成するハンドル１２はほぼ円筒状をなし、軸線方向ｘに沿って延びる下側ハンドル片１３と、同じく軸線方向ｘに沿って延びる上側ハンドル片１４とに分割して構成されている。そして、下側ハンドル片１３と上側ハンドル片１４とは図示しない凹凸部が互いに係合された状態で組み付けられてハンドル１２が構成されている。下側ハンドル片１３は電気絶縁材料としてのＡＢＳ樹脂により形成されるとともに、その外周面にはクロムメッキが施されて導電膜２４が形成されている。
【００１４】
前記上側ハンドル片１４には軸線方向ｘに延びる長孔状の取付孔１４ａが形成され、該取付孔１４ａ内には上面を開口したほぼ箱形状の保持部材１５が嵌合されている。この保持部材１５の内底面には、電源としての太陽電池パネル１６が固定されている。前記上側ハンドル片１４はカーボンブラック、金属等の導電性粉末が分散された導電性樹脂で形成され、保持部材１５は電気絶縁材料としてのＡＢＳ樹脂で形成されている。
【００１５】
前記下側ハンドル片１３の一端に形成された端壁１３ａには軸受け部１７が接合され、これら端壁１３ａ及び軸受け部１７には軸線方向ｘに延びる支持軸１８がその先端部をハンドル１２外に突出させた状態で回転可能に支持されている。軸受け部１７はＡＢＳ樹脂で形成され、支持軸１８は銅等の金属で形成されている。支持軸１８の先端部には、円筒状をなすマッサージ用の回転ローラ２０が支持体１９を介して回転可能に支持されている。この場合、合成樹脂製の回転ローラ２０の外周面にクロムメッキが施されることにより、回転ローラ２０への通電性が確保されている。そして、使用者がハンドル１２を把持した状態で、この回転ローラ２０の外周面を顔等の肌に接触させて円周方向に相対移動させることにより、回転ローラ２０が支持軸１８を中心に回転されるようになっている。
【００１６】
前記太陽電池パネル１６の一方の電極を構成する＋側の端子１６ａはリード線２１ａを介して支持軸１８に接続されるとともに、他方の電極を構成する−側の端子１６ｂはリード線２１ｂを介して上側ハンドル片１４の内面に突設された導電突起２２に接続されている。そして、太陽電池パネル１６の＋側の端子１６ａからリード線２１ａを介して支持軸１８、支持体１９、回転ローラ２０から人体２３を経て下側ハンドル片１３の導電膜２４、上側ハンドル片１４、導電突起２２及びリード線２１ｂを介して太陽電池パネル１６の−側の端子１６ｂへと微弱電流が流れる電気回路が形成されるようになっている。
【００１７】
次に、前記のように構成された第１実施形態の美容器１１の作用を説明する。
さて、この美容器１１の使用時には、使用者がハンドル１２を把持した状態で、回転ローラ２０の外周面を顔等の肌に接触させて円周方向に相対移動させると、その回転ローラ２０が支持軸１８を中心に回転される。この回転ローラ２０の回転に伴って、顔等の肌がマッサージされて血流が促進される。このとき、使用者の人体２３における顔等の肌が回転ローラ２０の外周面に接触しているとともに、人体２３の指が下側ハンドル片１３の導電膜２４に接触している。このため、太陽電池パネル１６で発電された電力により、前記電気回路に基づいて回転ローラ２０から肌に微弱電流が流れて、血流の促進が図られる。
【００１８】
従って、この第１実施形態によれば、以下のような効果を得ることができる。
（１）第１実施形態の美容器１１では、太陽電池パネル１６と、回転ローラ２０との間が電気的に接続されるとともに、ハンドル１２と回転ローラ２０との間が電気的に絶縁される。そして、使用時には太陽電池パネル１６の＋側の端子１６ａから、回転ローラ２０、人体２３及びハンドル１２の導電膜２４を介して−側の端子１６ｂへ到る電気回路が形成される。このように、美容器１１を使用する際には電気回路が安定した状態で形成され、その電気回路を通じて人体に微弱電流が流れ、血流が促される。
【００１９】
従って、第１実施形態の美容器１１によれば、太陽電池パネル１６を組み込むとともに、電気絶縁性を良好にして人体２３との間で電気回路を形成することができ、微弱電流により血流の促進を図ることができ、肌を美しくすることができる。
（２）前記ハンドル１２を構成する下側ハンドル片１３及び回転ローラ２０の軸受け部１７が電気絶縁材料で構成されている。このため、ハンドル１２と回転ローラ２０との間の電気的絶縁を図ることができる。
（３）この美容器１１においては、電源がハンドル１２に設けられた太陽電池パネル１６より構成されているため、乾電池等の電源を設ける必要がなく、太陽電池パネル１６で発電された電力を利用して、回転ローラ２０から肌に微弱電流を流すことができる。
（第２実施形態）
次に、この発明を具体化した美容器１１の第２実施形態を図２に従って説明する。この第２実施形態においては、前記第１実施形態と相違する部分について主に説明し、同一部分については説明を省略する。
【００２０】
第２実施形態の美容器１１では、マッサージ用の回転ローラ２０を第１実施形態と同様に使用することができるとともに、マッサージ用のボールを使用することができる。図２に示すように、ハンドル１２の他端部の壁部１２ａには導電部材２５が設けられ、該導電部材２５にはマッサージ用のボール２６が回転可能に支持されている。ボール２６の外周面には、ゲルマニウムコーティングが施されている。そして、使用者がハンドル１２を把持した状態で、ボール２６の外周面を顔等の肌に接触させて横方向に相対移動させることにより、ボール２６がハンドル１２の導電部材２５に接触した状態で回転されるようになっている。
【００２１】
前記太陽電池パネル１６の＋側の端子１６ａは内方へ突出形成され、該＋側の端子１６ａは回転ローラ２０の支持軸１８にリード線２１ａで接続されるとともに、ボール２６が接触する導電部材２５にリード線２１ｃで接続されている。また、保持部材１５の内側面及び外面には、クロムメッキによるメッキ層２７が形成されている。
【００２２】
そして、太陽電池パネル１６の＋側の端子１６ａからリード線２１ａを介して支持軸１８、支持体１９、回転ローラ２０から人体２３を経て保持部材１５のメッキ層２７を介して太陽電池パネル１６の−側の端子１６ｂへと微弱電流が流れる電気回路が形成されるようになっている。加えて、太陽電池パネル１６の＋側の端子１６ａからリード線２１ｃを介して導電部材２５、ボール２６から人体２３を経て保持部材１５のメッキ層２７を介して−側の端子１６ｂへと微弱電流が流れる電気回路が形成されるようになっている。
【００２３】
さて、第２実施形態の美容器１１の使用時には、使用者がハンドル１２を把持し、ボール２６の外周面を顔等の肌に押しあてると、ボール２６がハンドル１２の導電部材２５に接触した状態でハンドル１２を横方向に相対移動させると、ボール２６が軽く回転され、顔等の肌がマッサージされて血流が促進される。
【００２４】
この場合にも、使用者の人体２３における顔等の肌がボール２６の外周面に接触しているとともに、人体２３の指がハンドル１２外面のメッキ層２７に接触している。このため、太陽電池パネル１６から、ボール２６を介して肌に微弱電流が流れて、血流の促進効果が高められる。
【００２５】
このように、第２実施形態の美容器１１においては、ハンドル１２の外面には、内部に太陽電池パネル１６を収容する保持部材１５が設けられ、該保持部材１５の内側面から外面にかけて太陽電池パネル１６に導通するメッキ層２７が形成されるとともに、保持部材１５、ハンドル１２及び回転ローラ２０の軸受け部１７が電気絶縁材料で構成されている。従って、美容器１１は、マッサージ用の回転ローラ２０とボール２６との相乗効果により、微弱電流に基づく血流の促進を一層向上させることができる。
【００２６】
なお、前記実施形態を次のように変更して具体化することも可能である。
・  美容器１１として、回転ローラ２０を設けることなく、ボール２６のみを備えるように構成することもできる。
【００２７】
・  前記実施形態では回転ローラ２０及びボール２６に太陽電池パネル１６の＋側の端子１６ａを接続したが、−側の端子１６ｂを接続することもできる。
・  前記ハンドル１２、保持部材１５、軸受け部１７等を形成する電気絶縁材料としては、ＡＢＳ樹脂のほか、アクリル樹脂、ポリプロピレン樹脂等の合成樹脂を用いることも可能である。
【００２８】
・  前記導電膜２４及びメッキ層２７を、ステンレス鋼、アルミニウム、銅等の薄膜層で構成することも可能である。
・  ハンドル１２を、四角筒状、断面楕円形状をなす筒状等に形成することも可能である。
【００２９】
さらに、前記実施形態より把握される技術的思想を以下に記載する。
（イ）前記ハンドルの外面には太陽電池パネルの他方の電極に導通される導電部を設けたことを特徴とする請求項１又は請求項２に記載の美容器。この場合には、導電部に指が触れることにより、前記電気回路を形成することができる。
（ロ）前記導電部は金属によるメッキ層で構成されている請求項３に記載の美容器。このように構成した場合、導電部を容易に形成することができるとともに、そのメッキ層が反射面となって太陽電池パネルの光充電の効率を高めることができる。
【符号の説明】
【００３０】
１１…美容器、１２…ハンドル、１５…凹状支持部としての保持部材、１６…太陽電池パネル、１６ａ…電極としての＋側の端子、１６ｂ…電極としての−側の端子、１７…軸受け部、２０…回転ローラ、２３…人体、２６…ボール、２７…導電部としてのメッキ層。
【図１】
2012085808.tif 000003
【図２】
2012085808.tif 000004